(57)【要約】      （修正有）【課題】プール兼浴槽において必要に応じて蓄積可能容量を減らし、水や熱エネルギーを節約する。総合効率や安全にも配慮する。【解決手段】底に浴槽用のくぼみ1e、くぼみを仕切る仕切り1d、水位以上の液体を排出する排出口1a、1cを有し、利用者の運動により発生した水流で発電を行うタービン６と、利用者の運動で利用者の位置の変動を防ぐ固定手段と、利用者が座れる場所１fを設けた、浴槽兼プール１を提供する。【選択図】図１
2017080118.tif 000002
【特許請求の範囲】
【請求項１】
底に人間が浴槽として使用できるくぼみを有する、プール、浴槽又は水路。
【請求項２】
前記くぼみ以外の部分から該くぼみへと液体、気体または物体が侵入しにくくする仕切りを有する
請求項１に記載のプール、浴槽又は水路。
【請求項３】
前記くぼみに蓄積可能な水位以上の液体のみを排出可能な高さに排出口を有する
請求項１又は２に記載のプール、浴槽又は水路。
【請求項４】
前記くぼみに蓄積される液体の水位が浴槽として安全な水位となるように、
くぼみの底以外に該安全な水位付近の高さに排出口を有する
請求項１から３のいずれか一項に記載のプール、浴槽又は水路。
【請求項５】
前記プール、浴槽又は水路において
利用者の運動（水泳、水泳以外、又はその両方）により
蓄積した液体を還流させて
発電、流速測定、流量測定、利用者の泳力推定、利用者の泳いだ距離推定、利用者の消費エネルギー推定、又はそれらの組み合わせを
行う第一の手段（バイパス、タービン、整流フィン、電子回路、アナログ回路、電流測定器、又は、それらの組み合わせ）を備えた、
請求項１から４のいずれか一項に記載のプール、浴槽又は水路。
【請求項６】
利用者が運動しても利用者の位置が変動しにくいように固定する第二の手段（ひも、又は、ひも以外）を有する
請求項５に記載のプール、浴槽又は水路。
【請求項７】
利用者が泳いだときに障害とならない形状および位置に、
利用者が座れる場所（前記くぼみ内、該くぼみ外、又はその両方）を設けた
請求項１から６のいずれか一項に記載の、プール、浴槽又は水路。
【請求項８】
利用者の運動により発生した流れが、
前記座れる場所の真下を通過して還流しやすいように構成した、
請求項５および７に記載の、プール、浴槽又は水路。
【請求項９】
利用者の運動により発生した流れがすぐに、
前記座れる場所の真下に配置した前記第二の手段の受流部を通過するように構成した、
請求項５および７に記載の、プール、浴槽又は水路。
【請求項１０】
可動式又は固定式の仕切りにより蓄積可能容量を小さくしてエネルギー効率を高めたプール兼浴槽。
【請求項１１】
可動式の容量物を入れることにより水ないし湯の蓄積可能容量を小さくしてエネルギー効率を高めたプール兼浴槽。
【発明の詳細な説明】
【技術分野】
【０００１】
本発明は、プール、水路、浴槽又はその組み合わせに関するものである。また、これによる水流（人等の泳力やリハビリ運動による）を利用した発電、電圧・電流・仕事率・エネルギー・泳力・泳いだ距離の測定、モチベーションアップに関する。また、これらの安全と効率化（エネルギー節約を含む・含まない）と利便性（人間工学を含む・含まない）に関する。
【背景技術】
【０００２】
下記、特許文献１「水中運動器」を既に発明している（特許文献１の技術内容は、全文をこの出願内に引用して取り込むこともまた国内優先権出願も可能であるが、見やすさ（簡潔）の観点からあえて取り込まず、同一発明人・同一出願人のものでもあるため、文献名にて参照し、論理的にはここに長々と記載されているものとみなして補正可能範囲等の取り扱いをお願いしたいと思います）。
しかし、家庭に設置することを考慮すると、プールと風呂浴槽（場合によっては洗い場も含む）とが兼用できることが重要である。
また、プールの水量分のお湯を（たとえ水深を浅くしても）はることは、省エネルギー（および又は浴槽につかる利便性）の観点から好ましくない。
【先行技術文献】
【特許文献】
【０００３】
【特許文献１】特願２０１５−０１３５７０「水中運動器」
【発明の概要】
【発明が解決しようとする課題】
【０００４】
プール兼浴槽として用いる場合に、プールの水量分の（大量の）お湯をはることなく、しかも浴槽に全身を浸せる利便性を失うことなく、省エネルギーに資するプール、水路、浴槽又はその組み合わせを提供すること。
【課題を解決するための手段】
【０００５】
本発明は、かかる課題を解決するため、
底に人間が浴槽として使用できるくぼみを有する、プール、浴槽又は水路を提供する。
これにより、くぼみのみにお湯や水をはって全身を効率よく浸すことが可能となる。
ここで、「くぼみ」は、図１や図２のように、
掃除がしやすく（底や縁や角が丸く、開口幅に対して深すぎない）、
泳いた腕と手が底や縁に当たらず、干渉せず、かつ、
人間の全身を浸せる形状及び大きさであることが好ましい。
本発明はまた、
前記くぼみ以外の部分から該くぼみへと液体、気体または物体が侵入しにくくする仕切りを有する
そのようなプール、浴槽又は水路を提供する。
これにより、
洗い場（くぼみ以外の部分）から、
そこで利用者や家族等が体を洗った汚水やその石鹸やタオルや洗面器が浴槽に侵入するのを
防ぐことができる。
ここで、その仕切りの高さは、そういった侵入を防ぐと同時に、泳いだときに干渉しない高さ（３ｃｍ〜６ｃｍ程度）が好ましく、
図１、２に示すとおり、手足に当たったり干渉した場合も怪我をしないような丸い形状と材質（ゴム等で被覆）が好ましい。
本発明はまた、
前記くぼみに蓄積可能な水位以上の液体のみを排出可能な高さに排出口（例えば、図１の１ａ）を有する
そのようなプール、浴槽又は水路を提供する。
これにより、プールでおよぐことから入浴することに切り替えたい場合に、余分の水やお湯を効率的に排出することができ、
必要に応じて残った水のみを
（図示しない浄水器で）効率的に浄水したり、
（図示しない加熱器で）効率的に加熱したりすることが可能になる。
ここで、排水口は一般的な電磁弁と排水管でもよく、電磁弁のかわりに簡単な回転式のキャップやゴム栓等でもよい。
本発明はまた、
前記くぼみに蓄積される液体の水位が浴槽として安全な水位となるように、
くぼみの底（例えば、図１の１ｂ付近）以外に該安全な水位付近の高さに排出口（例えば、図１の１ａや１ｃ）を有する
そのようなプール、浴槽又は水路を提供する。
これにより、くぼみに子供を入れたままお湯をたす場合に、水位がその「安全な水位」以上とはならないため、
より安全なプール兼浴槽とすることができる。図示しないカメラシステムや距離センサー等と連動して、くぼみに物体や生物が存在する場合には、１ａや１ｃの電磁弁を自動的に開放して警告音をならす等するように構成することも有利である。
ここで、安全な水位は、図２に示したとおり、大人が座った首の高さとすることもでき、図示してはいないが、子供が座った首の高さとすることも明らかに可能である。
本発明では、
前記プール、浴槽又は水路において
利用者の運動（水泳、水泳以外、又はその両方）により
蓄積した液体を還流させて
発電、流速測定、流量測定、利用者の泳力推定、利用者の泳いだ距離推定、利用者の消費エネルギー推定、又はそれらの組み合わせを行う第一の手段（バイパス、タービン、整流フィン、電子回路、アナログ回路、電流測定器、又は、それらの組み合わせ）を備えたることが好ましい。
これにより、それらの発電や測定や推定が可能になり、新しい再生可能エネルギーの創造だけでなく、利用者のモチベーション強化、運動効果の測定・推定による健康な生活の効率化・習慣化が可能になる。
なお、図１と図３において、「第一の手段」としては、タービン６と整流フィン兼タービン固定台兼休憩椅子７が該当する。
本発明はまた、
利用者が運動しても利用者の位置が変動しにくいように固定する第二の手段（ひも、又は、ひも以外）を有する
そのようなプール、浴槽又は水路を提供する。
これにより、利用者の運動（水泳等）したエネルギーが、
位置移動のために用いられずに
水流のみに変換されるため、
水流による発電効率や泳力・消費カロリー等推定精度が向上する。
ここで、第二の手段がライフジャケット（図３の２）、ひも（図３の３）及び固定リング（図３の４）からなる場合は、
ひもはナイロン等水分によって影響をうけにくい素材を使用することが有利である。
また、安全のため浮力のついたライフジャケット（２）のかわりに浮力のないサスペンダーのようなもの（図示しない）も
用いることもできる。
固定リング（４）は水槽の幅方向の左右の壁付近に固定することもでき、部屋の天井やポール等に設けることもでき、天井やポールの場合は、ひも１本に固定リング１本とすること（図示しない）もできる。
本発明はまた、
利用者が泳いだときに障害とならない形状および位置に、
利用者が座れる場所（前記くぼみ内、該くぼみ外、又はその両方。図２の各１ｆ、図３の７等）を設けた
そのようなプール、浴槽又は水路を提供する。
これにより、プールで泳ぐ等する場合は泳ぐ等の障害とならず、かつ、浴槽や洗い場として用いる場合には体を斜めにたおしたり
、一部だけ浸したり、休んだり、洗ったりしやすい姿勢を可能にする。
本発明はまた、
利用者の運動により発生した流れが、
前記座れる場所（例えば、図３の整流フィン兼タービン固定台兼休憩椅子７）の真下を通過して還流（図３の５）しやすいように構成した、
そのようなプール、浴槽又は水路（各図の１）を提供する。
これにより、プール、浴槽又は水路（各図の１）の限られた広さと容積を効率よく利用することができる。
また、座って発生させた水流（５）により発電しやすい位置関係になる。
なお、図３では、座る場所を泳ぐ逆方向（足方向）の行き止まりに１つのみ（７として）例示しているが、
その両脇に追加設置することも可能である。
本発明はまた、
利用者の運動により発生した流れがすぐに、
前記座れる場所（図１、図３の整流フィン兼タービン固定台兼休憩椅子７の上面）の真下に配置した
前記第二の手段の受流部（図１、図３のタービン６等）を通過するように構成した、
そのようなプール、浴槽又は水路を提供する。
これにより、運動により発生してすぐの強い流れ（図の太い５）による受流部（タービン６等）の駆動が可能となり、効率的な発電等ができ、有利である。
本発明はまた、
可動式又は固定式（図２の１ｄ）の仕切りにより蓄積可能容量を小さくしてエネルギー効率を高めたプール兼浴槽を提供する。
これにより、より幅広い実施形態で課題が達成される。
ここで、「可動式」は、図示しないが図２の１ｄの付近またはその左右にゴム溝等をコの字に設けて仕切りを溝に嵌合させること等により明らかに可能である。
また、プール兼浴槽の壁をゴムや布等のやわらかい耐浸水素材（水や湯をとおしにくい素材）で構成した場合には、外側からその耐浸水素材を圧迫することによっても実質的な（可動式の）しきりとすることが可能であり、このように構成してもよい。
本発明はまた、
可動式の容量物（図示しない）を入れることにより水ないし湯の蓄積可能容量を小さくしてエネルギー効率を高めたプール兼浴槽を提供する。
これにより、少ない水ないし湯により、プール全体を使った広い浴槽を運用することができる。
ここで、「容量物」とは、家族やペット等の人や動物を含む。
【図面の簡単な説明】
【０００６】
【図１】本発明のプール兼浴槽をプールとして使用している側面図である。
【図２】本発明のプール兼浴槽を洗い場つきの浴槽として使用している場合の側面図である。
【図３】本発明によるプール兼浴槽をプールとして使用している場面の平面図（上から見た図）である。
【発明を実施するための形態】
【０００７】
図１は、本発明のプール兼浴槽１を泳ぐためのプールとして使用している側面図である。
図示しない固定器具（図１では図示しない、図３の２、３、４に該当する。別の実施形態ではさらにＸ状に４本に増やして使用することもできる）によって人間をプールのほぼ中央に固定し、泳いだエネルギーを水流にのみ変換し、発電したり泳力やエネルギーを推定したりしている。
人の泳ぐ手足が底に当たったり干渉しなりしないように、底や座る場所の寸法や形状を設計している。
泳いだその後に大浴槽として使用する場合は、水（又は温水）を減らして図示しない加熱器で加温して大家族風呂として
用いることもできる。
図２は、本発明のプール兼浴槽１を洗い場つきの浴槽（省エネモード）として２名で使用している場合の側面図である。
仕切り１ｄにより、洗った後の汚水や石鹸その他の資材が、浴槽（くぼみ）１ｅに流れ込まないような形状になっている。
小さな浴槽（くぼみ）１ｅは、
プール兼浴槽１の全体と比べると、
入ることのできる水ないし湯の容積が小さくかつ断面積が小さいため、より少ない加温時間／加温エネルギーで
効率よく体全体を浸せる小浴槽として使用することができる。
図３は、本発明によるプール兼浴槽１をプールとして使用している場面の平面図（上から見た図）である。
人の泳ぐ手足が縦横斜めの楕円型壁に当たったり干渉したりしないように寸法や形状を設計している。
人の泳ぐ運動等によって生まれて還流を形成する流れ（５）は、人間を中央に固定する実施形態では、整流フィン兼タービン固定台兼休憩椅子７の壁側の突部材に反射して２系統に割れて還流する。
ただし、人間をどちらかの壁に寄せて固定する実施形態では、プール兼浴槽１の楕円のふちに沿って還流する１系統の大きな流れ（図示しない）によって発電したり測定・推定したりするよう構成することもできる。
【産業上の利用可能性】
【０００８】
本発明は、発明者により先願した「水中運動器」、又は「泳力発電式リハビリ浴槽プール」と呼べるようなシーン（関節を痛めないリハビリ、ダイエット、泳力強化、水泳のフォームの調整、体力強化、趣味、入浴として、等）明らかに利用可能である。
【符号の説明】
【０００９】
1   浴槽兼プール（プール、大浴槽、又は、小浴槽及び洗い場、として使用可能）
１ａ  排出口（プールからお風呂（浴槽と洗い場）へ）
１ｂ  排出口（くぼみ用）
１ｃ  排出口（洗い場用）
１ｄ  （固定式の）仕切り
１ｅ  くぼみ（省エネルギーモードの浴槽）
１ｆ  座る場所（上り下りもしやすい階段形状）
２  ライフジャケット兼固定具
３  利用者固定紐
４  利用者固定金具
５  利用者の泳ぎ（又はリハビリ運動）による水流
６  タービン（人側に図示しない巻き込まれ防止アミのついたもの。接続されている電圧・電力測定器、泳力・泳いだ距離・消費カロリー測定表示装置、蓄電池等も図示していない）
７  タービン設置フレーム兼休憩椅子
８ａ  温水
８ｂ  お湯
【図１】
2017080118.tif 000003
【図２】
2017080118.tif 000004
【図３】
2017080118.tif 000005